(57)【要約】【課題】  接続における視認性を向上させると共にコネクタ部材を保護することができるコネクタ構造を提供する。【解決手段】  コネクタ部材１１に対して移動するカバー部材３０とコネクタ部材１１との間に、カバー部材３０の移動範囲を規制する規制構造４０を形成する。規制構造４０は、コネクタ部材１１の周囲に備えられた固定ブロック１６の被係止部１７（雄ネジ）と、カバー部材３０の内側に形成されて被係止部１７（雄ネジ）が通される通路部３１と、この通路部３１の端に形成された係止部３２と、から構成し、コネクタ部材１１を被接続部３から抜去する場合、カバー部材３０が、コネクタ部材１１の抜去方向に移動して係止部３２が被係止部１７（雄ネジ）に係止する。【選択図】  図４
2016220858.tif 000002
【特許請求の範囲】
【請求項１】
ハンドピースと、このハンドピースを稼働させる歯科治療ユニットとを接続するためのホースの端うち、前記歯科治療ユニットに接続される側のコネクタ部材に、このコネクタ部材を覆うカバー部材が備えられて構成されたコネクタ構造において、
前記コネクタ部材に対して移動する前記カバー部材と前記コネクタ部材との間に、前記カバー部材の移動範囲を規制する規制構造が形成された、
ことを特徴とするコネクタ構造。
【請求項２】
前記コネクタ部材が、
前記歯科治療ユニットの被接続部と接続する先端部と、
前記先端部が連接された基部と、から構成され、
前記先端部が前記カバー部材から露出すると共に前記基部に前記カバー部材が対面する位置である規制位置で、前記カバー部材が停止する、
ことを特徴とする請求項１に記載されたコネクタ構造。
【請求項３】
前記規制構造が、
前記コネクタ部材の周囲に備えられた被係止部と、
前記カバー部材の内側に形成されて前記被係止部が通される通路部と、
前記通路部の端に形成された係止部と、から構成され、
前記カバー部材が、前記コネクタ部材の抜去方向に移動して前記係止部が前記被係止部に係止される、
ことを特徴とする請求項１または請求項２に記載されたコネクタ構造。
【請求項４】
前記係止部と前記被係止部との間に、弾性部材が備えられた、
ことを特徴とする請求項３に記載されたコネクタ構造。
【発明の詳細な説明】
【技術分野】
【０００１】
本発明は、例えば、ハンドピースを一端に有すハンドピースホースを歯科治療ユニットに接続するためのコネクタ構造に関するものである。
【背景技術】
【０００２】
従来、歯科治療では、例えば、エアータービン、マイクロモーター、マルチシリンジなどのハンドピースが用いられ、このハンドピースは、ホースを介して歯科治療ユニットに接続されている。ホースの端は、ハンドピースの種類に応じて、配線の数、形状や配置が異なるコネクタが取り付けられ、このコネクタがカバー部材で覆われている。そのため、コネクタを歯科治療ユニットに接続する際、コネクタの向きを歯科治療ユニットの被接続部と合わせる必要があるが、コネクタがカバー部材に隠れて視認性が低下する場合がある。一方で、例えば下記特許文献１に記載された歯科治療ユニットとハンドピース取付用ホースの接続構造がある。
【０００３】
この歯科治療ユニットとハンドピース取付用ホースの接続構造は、ホースの端であるホース側結合部材にコネクタが備えられ、このコネクタがコネクタカバーで覆われている。コネクタカバーは、コネクタに対してホースに沿って移動するため、コネクタを歯科治療ユニットに接続する際、コネクタカバーをずらしてコネクタを露出させ、コネクタを歯科治療ユニットに接続した後、コネクタカバーでコネクタを覆うと共に、歯科治療ユニット側結合部材にコネクタカバーを螺合する。したがって、コネクタを歯科治療ユニットに接続する際の視認性が向上する。
【先行技術文献】
【特許文献】
【０００４】
【特許文献１】特開２００１−１１２７７８号公報
【発明の概要】
【発明が解決しようとする課題】
【０００５】
しかし、特許文献１に記載された歯科治療ユニットとハンドピース取付用ホースの接続構造は、上記したとおり、コネクタを歯科治療ユニットに接続する際、コネクタカバーをずらしてコネクタを露出させるため、直に把持することでコネクタや配線が損傷する場合がある。また、コネクタをコネクタカバーごと把持する場合であっても、コネクタカバーを移動させてコネクタを覆う際、コネクタカバーとの接触によってコネクタや配線、配管が損傷する場合がある。
【０００６】
本発明は、上記の実情に鑑みて提案されたものである。すなわち、接続における視認性を向上させると共にコネクタを保護することができるコネクタ構造の提供を目的とする。
【課題を解決するための手段】
【０００７】
上記目的を達成するために、本発明に係るコネクタ構造は、ハンドピースと、このハンドピースを稼働させる歯科治療ユニットとを接続するためのホースの端うち、前記歯科治療ユニットに接続される側のコネクタ部材に、このコネクタ部材を覆うカバー部材が備えられて構成されたコネクタ構造において、前記コネクタ部材に対して移動する前記カバー部材と前記コネクタ部材との間に、前記カバー部材の移動範囲を規制する規制構造が形成された、ことを特徴とする。
【０００８】
本発明に係るコネクタ構造は、前記コネクタ部材が、前記歯科治療ユニットの被接続部と接続する先端部と、前記先端部が連接された基部と、から構成され、前記先端部が前記カバー部材から露出すると共に前記基部に前記カバー部材が対面する位置である規制位置で、前記カバー部材が停止する、ことを特徴とする。
【０００９】
本発明に係るコネクタ構造は、前記規制構造が、前記コネクタ部材の周囲に備えられた被係止部と、前記カバー部材の内側に形成されて前記被係止部が通される通路部と、前記通路部の端に形成された係止部と、から構成され、前記カバー部材が、前記コネクタ部材の抜去方向に移動して前記係止部が前記被係止部に係止される、ことを特徴とする。
【００１０】
本発明に係るコネクタ構造は、前記係止部と前記被係止部との間に、弾性部材が備えられた、ことを特徴とする。
【発明の効果】
【００１１】
本発明に係るコネクタ構造は上記した構成である。すなわち、コネクタ部材に対してカバー部材を移動させるとコネクタ部材が露出する。したがって、歯科治療ユニットへの接続の際、視認性を向上させることができる。一方で、コネクタ部材を覆うカバー部材の移動範囲が規制されているため（すなわち、コネクタ部材の露出範囲が規制されているため）、コネクタ部材が必要以上に露出しない。したがって、コネクタ部材、およびコネクタ部材に接続されている配線や配管を保護することができる。
【００１２】
本発明に係るコネクタ構造は、コネクタ部材が、歯科治療ユニットの被接続部と接続する先端部と、先端部が連接された基部と、から構成され、先端部がカバー部材から露出すると共に基部にカバー部材が対面する位置である規制位置で、カバー部材が停止する。すなわち、規制位置において、先端部がカバー部材から露出するため、歯科治療ユニットへの接続の際、視認性を向上させることができる。一方で、規制位置において、基部とカバー部材とが対面しているため、カバー部材によってコネクタ部材、およびコネクタ部材に接続されている配線や配管を保護することができる。
【００１３】
本発明に係るコネクタ構造は、規制構造が、コネクタ部材の周囲に備えられた被係止部と、カバー部材の内側に形成されて被係止部が通される通路部と、通路部の端に形成された係止部と、から構成され、カバー部材が、コネクタ部材の抜去方向に移動して係止部が被係止部に係止される。すなわち、カバー部材は、通路部において被係止部を移動させ、係止部を被係止部に係止させることで停止して移動範囲が規制される。したがって、必要な範囲でコネクタ部材を露出させ、接続における視認性を向上させることができる。また、必要以上にコネクタ部材を露出させず、コネクタ部材、およびコネクタ部材に接続されている配線や配管を保護することができる。
【００１４】
本発明に係るコネクタ構造は、係止部と被係止部との間に、弾性部材が備えられている。この構成により、カバー部材の係止部とコネクタ部材の被係止部との接触が妨げられるため、カバー部材とコネクタ部材との不本意な干渉が妨げられる。したがって、コネクタ部材を保護することができる。
【図面の簡単な説明】
【００１５】
【図１】本発明の実施形態に係るコネクタ構造の外観が示された外観斜視図である。
【図２】本発明の実施形態に係るコネクタ構造の分解斜視図である。
【図３】本発明の実施形態に係るコネクタ構造の接続状態が示され、（ａ）が側面図、（ｂ）が側面Ａ−Ａ断面図、（ｃ）が側面Ｂ−Ｂ断面図である。
【図４】本発明の実施形態に係るコネクタ構造の接続過程が示された側面断面説明図である。
【発明を実施するための形態】
【００１６】
以下に、本発明の実施形態に係るコネクタ構造を図面に基づいて説明する。図１は、本発明の実施形態に係るコネクタ構造１０の外観が示されている。
【００１７】
図１に示されているとおり、本発明の実施形態に係るコネクタ構造１０は、ハンドピース１と、このハンドピース１に、例えば水やエアーなどの流体、電気、光などを送り出してハンドピース１を稼働させる歯科治療ユニット（図示せず）とを接続するためのホース２の端うち、歯科治療ユニットに接続される側に備えられている。
【００１８】
一方、歯科治療ユニット側は、板状の着脱ホーステーブル４が備えられ、この着脱ホーステーブル４に形成された複数の孔５に、コネクタ構造１０と接続する被接続部３が取り付けられてナット６で固定されている。
【００１９】
次に、コネクタ構造１０を詳説する。図２は、分解されたコネクタ構造１０の各部が示され、図３は、コネクタ構造１０の側面および断面が示されている。なお、以下の説明では、図３において、軸方向を上下方向とし、軸方向と直交する方向を側方とする。また、上下方向は、上方をコネクタ部材の接続方向とし、下方をコネクタ部材の抜去方向とする。
【００２０】
＜コネクタ構造＞
図２および図３に示されているとおり、コネクタ構造１０は、コネクタ部材１１と、このコネクタ部材１１を覆ってコネクタ部材１１に対して移動するカバー部材３０とが備えられ、コネクタ部材１１とカバー部材３０との間に、カバー部材３０の移動範囲を規制する規制構造４０が形成されている。
【００２１】
＜コネクタ部材＞
コネクタ部材１１は、被接続部３と接続する先端部１３と、この先端部１３が連接された基部１４とから構成されている。先端部１３は、被接続部３との間をシールするＯリング１５が取り付けられ、一方、基部１４は固定ブロック１６に支持されている。固定ブロック１６は円板状であり、外周に被係止部１７としての雄ネジが形成され、上下方向に貫通する取付孔１８が３箇所に形成されている。取付孔１８は、２個所にコネクタ部材１１が取り付けられ、１箇所にロールピン１９が取り付けられている。固定ブロック１６に取り付けられたコネクタ部材１１の下方側は、Ｙ字状に分岐したチューブ２０がそれぞれ接続されている。チューブ２０は、スリーブ２１が通され、スリーブ２１によってコネクタ部材１１に圧着されている。チューブ２０の下方側はスペーサー２２を介してカバーホース２３が接続されている。カバーホース２３は、ホース抜け止パイプ２４が取り付けられている。
【００２２】
＜カバー部材＞
カバー部材３０は、ほぼ円筒状であり、被係止部１７（固定ブロック１６の雄ネジ）が通される通路部３１が内側の上方側に形成されている。通路部３１の上端は、係止部３２としての雌ネジが形成され、通路部３１の下端は段部３３が形成されている。また、通路部３１の上端で係止部３２（雌ネジ）との境にはカバー部材３０に溝が設けられ、この溝に弾性部材としてのＯリング３４が備えられている。この様に形成されたカバー部材３０は、内側にコネクタ部材１１が通されている。詳説すれば、固定ブロック１６の被係止部１７（雄ネジ）が係止部３２（雌ネジ）に螺合されて通過し、通路部３１に配置されている。係止部（雌ネジ）３２と被係止部（雄ネジ）１７との間は、Ｏリング３４が備えられている。また、ホース抜け止パイプ２４がカバー部材３０の下端側に配置されている。
【００２３】
＜規制構造＞
規制構造４０は、コネクタ部材１１の周囲に備えられた被係止部１７（固定ブロック１６の雄ネジ）と、カバー部材３０の内側に形成されて被係止部１７が通される通路部３１と、この通路部３１の端に形成された係止部３２（雌ネジ）とから構成されている。すなわち、通路部３１では、固定ブロック１６が、被係止部１７が段部３３と係止部３２（雌ネジ）との間で移動することが可能である。そのため、換言すれば、カバー部材３０が、抜去方向に移動して係止部３２（雌ネジ）が被係止部１７（雄ネジ）に係止され、一方、接続方向に移動して段部３３が被係止部１７（雄ネジ）に係止される。通路部３１における係止部３２（雌ネジ）と段部３３との間がカバー部材３０の移動範囲である。
【００２４】
上記したとおり、コネクタ構造１０が構成されている。次に、コネクタ構造１０の接続過程を図面に基づいて説明する。図４は、コネクタ構造１０の接続過程が示されている。
【００２５】
図４（ａ）に示されているとおり、カバー部材３０は、コネクタ部材１１に対して抜去方向にスライドされて規制位置で停止している。ここで、規制位置は、コネクタ部材１１の先端部１３がカバー部材３０に対して露出すると共に基部１４にカバー部材３０が対面する位置である。すなわち、カバー部材３０は、係止部３２（雌ネジ）が固定ブロック１６の被係止部１７（雄ネジ）に係止されている。その際、係止部３２と被係止部１７（雄ネジ）との衝突がＯリング３４によって緩衝される。
【００２６】
図４（ｂ）に示されているとおり、コネクタ部材１１を歯科治療ユニットの被接続部３に接続する場合、カバー部材３０を規制位置で停止させた状態で、コネクタ部材１１を被接続部材３に対して接続方向に押し込む。
【００２７】
図４（ｃ）に示されているとおり、カバー部材３０を、コネクタ部材１１に対して接続方向にスライドさせる。すなわち、接続方向を軸としてカバー部材３０を回転させ、被接続部３に係止部３２（雌ネジ）を螺合させる。同時に、通路部３１において段部３３を固定ブロック１６の被係止部１７（雄ネジ）に係止する。
【００２８】
コネクタ部材１１を被接続部３から抜去する場合、上記と逆の手順に従う。
【００２９】
図４（ｂ）に示されているとおり、コネクタ部材１１を被接続部３から抜去する場合、抜去方向を軸としてカバー部材３０を回転させ、被接続部３から係止部３２（雌ネジ）を取り外す。同時に、カバー部材３０を、コネクタ部材１１に対して抜去方向にスライドさせて規制位置で停止させる。すなわち、通路部３１において係止部３２（雌ネジ）を固定ブロック１６の被係止部１７（雄ネジ）に係止する。その際、係止部３２（雌ネジ）と被係止部１７（雄ネジ）との衝突がＯリング３４によって緩衝される。
【００３０】
図４（ａ）に示されているとおり、コネクタ部材１１を歯科治療ユニットの被接続部３から抜去する。その際、カバー部材３０は規制位置で留まっている。
【００３１】
次に、コネクタ構造１０の効果を説明する。
【００３２】
上記したとおり、本実施形態によれば、コネクタ構造１０は、コネクタ部材１１と、このコネクタ部材１１を覆ってコネクタ部材１１に対して移動するカバー部材３０とが備えられ、コネクタ部材１１とカバー部材３０との間に、カバー部材３０の移動範囲を規制する規制構造４０が形成されている。すなわち、コネクタ部材１１を歯科治療ユニットの被接続部３に接続する際、コネクタ部材１１に対してカバー部材３０を移動させるとコネクタ部材１１が露出する。したがって、歯科治療ユニットへの接続の際、視認性を向上させることができる。一方で、コネクタ部材１１を覆うカバー部材３０の移動範囲が規制されているため（すなわち、コネクタ部材１１の露出範囲が規制されているため）、コネクタ部材１１が必要以上に露出しない。したがって、コネクタ部材１１、およびコネクタ部材１１に接続されている配線や配管を保護することができる。
【００３３】
本実施形態によれば、コネクタ部材１１は、被接続部３と接続する先端部１３と、この先端部１３が連接された基部１４とから構成され、コネクタ部材１１を被接続部３から抜去する場合、カバー部材３０を、コネクタ部材１１に対して下方にスライドさせて規制位置で停止させる。ここで、規制位置は、コネクタ部材１１の先端部１３がカバー部材３０に対して露出すると共に基部１４にカバー部材３０が対面する位置である。すなわち、規制位置において、先端部１３がカバー部材３０に対して露出するため、歯科治療ユニットの被接続部３への接続の際、視認性を向上させることができる。一方で、規制位置において、基部１４とカバー部材３０とが対面しているため、カバー部材３０によって、コネクタ部材１１、およびコネクタ部材１１に接続されている配線や配管を保護することができる。
【００３４】
本実施形態によれば、規制構造４０では、カバー部材３０が、抜去方向に移動して係止部３２（雌ネジ）が被係止部１７（雄ネジ）に係止され、一方、接続方向に移動して段部３３が被係止部１７（雄ネジ）に係止される。すなわち、コネクタ部材１１を被接続部３から抜去する際、カバー部材３０は、通路部３１において固定ブロック１６の被係止部１７（雄ネジ）を移動させ、係止部３２（雌ネジ）を被係止部１７（雄ネジ）に係止させることで停止して移動範囲が規制される。したがって、必要な範囲でコネクタ部材１１を露出させ、接続における視認性を向上させることができる。また、必要以上にコネクタ部材１１を露出させず、コネクタ部材１１、およびコネクタ部材１１に接続されている配線や配管を保護することができる。
【００３５】
本実施形態によれば、カバー部材３０の係止部（雌ネジ）３２と固定ブロック１６の被係止部（雄ネジ）１７との間は、Ｏリング３４が備えられている。この構成により、係止部（雌ネジ）３２と被係止部１７（雄ネジ）との衝突がＯリング３４によって緩衝されて接触が妨げられるため、カバー部材３０とコネクタ部材１１との不本意な干渉が妨げられる。したがって、コネクタ部材１１、およびコネクタ部材１１に接続されている配線や配管を保護することができる。
【００３６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３７】
１                ハンドピース
２                ホース
３                被接続部
４                着脱ホーステーブル
５                孔
６                ナット
１０              コネクタ構造
１１              コネクタ部材
１３              先端部
１４              基部
１５              Ｏリング
１６              固定ブロック
１７              被係止部
１８              取付孔
１９              ロールピン
２０              チューブ
２１              スリーブ
２２              スペーサー
２３              カバーホース
２４              ホース抜け止パイプ
３０              カバー部材
３１              通路部
３２              係止部
３３              段部
３４              Ｏリング
４０              規制構造
【図１】
2016220858.tif 000003
【図２】
2016220858.tif 000004
【図３】
2016220858.tif 000005
【図４】
2016220858.tif 000006